(57)【要約】【課題】室外の照度が大きくても、室内の照度の制御をより安定して行う。【解決手段】室外３１と室内３０との間に設けられ、かつ室外から室内３０に入射される光の透過率が制御可能な調光手段としての調光ガラス（フロントガラス１４、フロントサイドガラス１６、リアサイドガラス１８、及びリアガラス２０）と、睡眠及び睡眠からの起床に適した目標照度ＬＯを時間経過に応じて記憶したＨＤＤ２４ｂとを備え、室内３０の照度Ｌｃを検出し、検出された現在の室内３０の照度Ｌｃ、ＨＤＤ２４ｂに記憶された現在時間の目標照度ＬＯ、及び調光ガラスの現在の透過率τｃに基づいて、室内３０の照度Ｌｃが現在時間の目標照度ＬＯとなるように、調光ガラスの光の透過率を制御する。【選択図】図１
2009254509.tif 000002
【特許請求の範囲】
【請求項１】
室外と室内との間に設けられ、かつ前記室外から前記室内に入射される光の透過率が制御可能な調光手段と、
睡眠及び睡眠からの起床に適した目標照度を時間経過に応じて記憶した記憶手段と、
前記室内の照度を検出する検出手段と、
前記検出手段によって検出された現在の前記室内の照度、前記記憶手段に記憶された現在時間の目標照度、及び前記調光手段の現在の前記透過率に基づいて、前記室内の照度が、該現在時間の目標照度となるように、前記調光手段の光の透過率を制御する制御手段と、
を含む室内照度制御装置。
【請求項２】
室外と室内との間に設けられ、かつ前記室外から前記室内に入射される光の透過率が制御可能な調光手段と、
睡眠及び睡眠からの起床に適した目標照度を時間経過に対応させた照度変化パターンを複数記憶した記憶手段と、
前記室内に存在する人物の疲労度を推定する推定手段と、
前記推定手段によって推定された疲労度に応じて、前記記憶手段に記憶された複数の照度変化パターンの中から、前記人物が睡眠及び睡眠からの起床をするために適した照度変化パターンを選択する選択手段と、
前記室内の照度を検出する検出手段と、
前記検出手段によって検出された現在の前記室内の照度、前記選択手段によって選択された照度変化パターンの現在時間の目標照度、及び前記調光手段の現在の前記透過率に基づいて、前記室内の照度が、該現在時間の目標照度となるように、前記調光手段の光の透過率を制御する制御手段と、
を含む室内照度制御装置。
【請求項３】
コンピュータを
室外と室内との間に設けられ、かつ前記室外から前記室内に入射される光の透過率が制御可能な調光手段の現在の前記透過率、睡眠及び睡眠からの起床に適した目標照度を時間経過に応じて記憶した記憶手段に記憶された現在時間の目標照度、及び現在の前記室内の照度に基づいて、前記室内の照度が、該現在時間の目標照度となるように、前記調光手段の光の透過率を制御する制御手段
として機能させるためのプログラム。
【請求項４】
コンピュータを
室内に存在する人物の疲労度を推定する推定手段、
前記推定手段によって推定された疲労度に応じて、睡眠及び睡眠からの起床に適した目標照度を時間経過に対応させた照度変化パターンを複数記憶した記憶手段に記憶された複数の照度変化パターンの中から、前記人物が睡眠及び睡眠からの起床をするために適した照度変化パターンを選択する選択手段、
室外と室内との間に設けられ、かつ前記室外から前記室内に入射される光の透過率が制御可能な調光手段の現在の前記透過率、現在の室内の照度、前記選択手段によって選択された照度変化パターンの現在時間の目標照度に基づいて、前記室内の照度が、該現在時間の目標照度となるように、前記調光手段の光の透過率を制御する制御手段
として機能させるためのプログラム。
【発明の詳細な説明】
【技術分野】
【０００１】
本発明は、室内照度制御装置、及びプログラムに関する。
【背景技術】
【０００２】
従来、寝室などの室内において、睡眠及び睡眠からの起床に適した照度の制御を行う睡眠起床サポートシステムが知られている（例えば、特許文献１参照）。特許文献１に記載の睡眠起床サポートシステムでは、室内の照度が、真っ暗となるような所定値以下である場合に、光源から発せられる光の光量を調整することによって、睡眠及び睡眠からの起床に適した室内の照度の制御を行う。
【特許文献１】特開２００５−３３４２８３号公報
【発明の開示】
【発明が解決しようとする課題】
【０００３】
しかしながら、特許文献１に記載の睡眠起床サポートシステムでは、光源から発せられる光の光量を調整することにより室内の照度の制御を行っているので、室外の照度と室内の照度とに所定の関係があり、室外の照度が大きい場合には室内の照度も大きくなるようなケース（例えば、日中の室外からの太陽光が室内の窓から差し込んできて、室内の照度が所定値以上となるケースや、室外から差し込んでくる太陽光を遮るために室内の窓周辺にカーテンが設けられているものの、このカーテンの厚さが薄く、太陽光を十分に遮ることができず、カーテンを閉めても室内の照度が所定値以上となるケース等）には、室内の照度をより小さく、すなわち室内をより暗くするような制御を行うことができなくなり、睡眠及び睡眠からの起床に適した室内の照度の制御を行うことができなくなる、という問題がある。
【０００４】
本発明は上述した問題点を解決するために成されたものであり、室外の照度が大きくても、室内の照度の制御をより安定して行うことができる室内照度制御装置、及びプログラムを提供することを目的とする。
【課題を解決するための手段】
【０００５】
上記目的を達成するために、第１の発明に係る室内照度制御装置は、室外と室内との間に設けられ、かつ前記室外から前記室内に入射される光の透過率が制御可能な調光手段と、睡眠及び睡眠からの起床に適した目標照度を時間経過に応じて記憶した記憶手段と、前記室内の照度を検出する検出手段と、前記検出手段によって検出された現在の前記室内の照度、前記記憶手段に記憶された現在時間の目標照度、及び前記調光手段の現在の前記透過率に基づいて、前記室内の照度が、該現在時間の目標照度となるように、前記調光手段の光の透過率を制御する制御手段とを含んで構成されている。
【０００６】
第１の発明に係る室内照度制御装置によれば、室内の照度が現在時間の目標照度となるように、調光手段（例えば、調光ガラス）の光の透過率を制御しているので、室外の照度が大きくても、従来の技術と比較して、室内の照度の制御をより安定して行うことができる。
【０００７】
また、上記目的を達成するために、第２の発明に係る室内照度制御装置は、室外と室内との間に設けられ、かつ前記室外から前記室内に入射される光の透過率が制御可能な調光手段と、睡眠及び睡眠からの起床に適した目標照度を時間経過に対応させた照度変化パターンを複数記憶した記憶手段と、前記室内に存在する人物の疲労度を推定する推定手段と、前記推定手段によって推定された疲労度に応じて、前記記憶手段に記憶された複数の照度変化パターンの中から、前記人物が睡眠及び睡眠からの起床をするために適した照度変化パターンを選択する選択手段と、前記室内の照度を検出する検出手段と、前記検出手段によって検出された現在の前記室内の照度、前記選択手段によって選択された照度変化パターンの現在時間の目標照度、及び前記調光手段の現在の前記透過率に基づいて、前記室内の照度が、該現在時間の目標照度となるように、前記調光手段の光の透過率を制御する制御手段とを含んで構成されている。
【０００８】
第２の発明に係る室内照度制御装置によれば、室内の照度が現在時間の目標照度となるように、調光手段（例えば、調光ガラス）の光の透過率を制御しているので、室外の照度が大きくても、従来の技術と比較して、室内の照度の制御をより安定して行うことができる。
【０００９】
更に、第２の発明に係る室内照度制御装置によれば、室内に存在する人物の疲労度に応じて、この人物が睡眠及び睡眠からの起床をするために適した照度変化パターンが選択されるので、室内に存在する人物にとって、より快適な睡眠及び起床をすることが可能となる。
【００１０】
また、上記目的を達成するために、第３の発明に係るプログラムは、コンピュータを室外と室内との間に設けられ、かつ前記室外から前記室内に入射される光の透過率が制御可能な調光手段の現在の前記透過率、睡眠及び睡眠からの起床に適した目標照度を時間経過に応じて記憶した記憶手段に記憶された現在時間の目標照度、及び現在の前記室内の照度に基づいて、前記室内の照度が、該現在時間の目標照度となるように、前記調光手段の光の透過率を制御する制御手段として機能させる。
【００１１】
第３の発明に係るプログラムによれば、室内の照度が現在時間の目標照度となるように、調光手段（例えば、調光ガラス）の光の透過率を制御しているので、室外の照度が大きくても、従来の技術と比較して、室内の照度の制御をより安定して行うことができる。
【００１２】
また、上記目的を達成するために、第４の発明に係るプログラムは、コンピュータを室内に存在する人物の疲労度を推定する推定手段、前記推定手段によって推定された疲労度に応じて、睡眠及び睡眠からの起床に適した目標照度を時間経過に対応させた照度変化パターンを複数記憶した記憶手段に記憶された複数の照度変化パターンの中から、前記人物が睡眠及び睡眠からの起床をするために適した照度変化パターンを選択する選択手段、室外と室内との間に設けられ、かつ前記室外から前記室内に入射される光の透過率が制御可能な調光手段の現在の前記透過率、現在の室内の照度、前記選択手段によって選択された照度変化パターンの現在時間の目標照度に基づいて、前記室内の照度が、該現在時間の目標照度となるように、前記調光手段の光の透過率を制御する制御手段として機能させる。
【００１３】
第４の発明に係るプログラムによれば、室内の照度が現在時間の目標照度となるように、調光手段（例えば、調光ガラス）の光の透過率を制御しているので、室外の照度が大きくても、従来の技術と比較して、室内の照度の制御をより安定して行うことができる。
【００１４】
更に、第４の発明に係るプログラムによれば、室内に存在する人物の疲労度に応じて、この人物が睡眠及び睡眠からの起床をするために適した照度変化パターンが選択されるので、室内に存在する人物にとって、より快適な睡眠及び起床をすることが可能となる。
【発明の効果】
【００１５】
以上説明したように、本発明に係る室内照度制御装置、及びプログラムによれば、室外の照度が大きくても、室内の照度の制御をより安定して行うことができる、という効果が得られる。
【発明を実施するための最良の形態】
【００１６】
以下、図面を参照して、本発明を車両に適用した場合の室内照度制御装置の各実施の形態を詳細に説明する。
【００１７】
［第１の実施の形態］
まず、本発明の第１の実施の形態について説明する。図１及び図２に示すように、本実施の形態に係る室内照度制御装置１０は、車両１２に搭載されている。室内照度制御装置１０は、フロントガラス１４、フロントサイドガラス１６、リアサイドガラス１８、リアガラス２０、照度計２２、制御装置２４、駆動装置２６、及び操作部２８を備えている。
【００１８】
照度計２２は、車両１２の室内３０の照度を検出して、室内３０の照度を表す検出信号を制御装置２４に出力する。なお、照度計２２は本発明の検出手段に対応する。
【００１９】
操作部２８は、車両１２に乗車している人物（例えば、ドライバ３２）からの指示を受け付けることが可能な位置に設けられている。なお、以下、車両１２に乗車している人物として、ドライバ３２を例に挙げて説明する。操作部２８は、例えば、タッチパネルを含んで構成されており、このタッチパネルからドライバ３２の指示を受け付けることが可能となっている。操作部２８は、受け付けた指示を制御装置２４へ出力する。
【００２０】
フロントガラス１４、フロントサイドガラス１６、リアサイドガラス１８、及びリアガラス２０の各々は、車両１２の室内３０と室外３１との間に設けられている。また、フロントガラス１４、フロントサイドガラス１６、リアサイドガラス１８、及びリアガラス２０の各々は、調光ガラスであり、駆動装置２６を介した制御装置２４の制御によって第１の所定値、例えば０％から、第２の所定値、例えば１００％までの範囲内で透過率が調整（制御）される。なお、これらフロントガラス１４、フロントサイドガラス１６、リアサイドガラス１８、及びリアガラス２０として、透過率が調整可能な調光ガラスであればどのような調光ガラスを用いてもよいが、本実施の形態では、例えば、二つの電極と、この二つの電極の間に挿入された液晶層とを含んで構成された液晶フイルム（図示しない）を備えた調光ガラスが用いられる。このような調光ガラスは、周知のものであり、印可された電圧に応じて液晶分子の配光性が変化することにより、光の透過率が制御される。すなわち、印可する電圧の値を制御することにより、透過率を制御することが可能となる。従って、フロントガラス１４、フロントサイドガラス１６、リアサイドガラス１８、及びリアガラス２０の各々によって、室外３１から室内３０に入射される光の透過率が制御可能となる。なお、フロントガラス１４、フロントサイドガラス１６、リアサイドガラス１８、及びリアガラス２０は、本発明の調光手段に対応する。
【００２１】
駆動装置２６は、フロントガラス１４、フロントサイドガラス１６、リアサイドガラス１８、リアガラス２０、及び制御装置２４に接続されている。駆動装置２６は、制御装置２４によって制御されて、フロントガラス１４、フロントサイドガラス１６、リアサイドガラス１８、及びリアガラス２０の各々の透過率を制御する。より具体的には、例えば、駆動装置２６は、まず、制御装置２４から入力された制御信号を解析して、「得ようとする透過率」を取得する。そして、駆動装置２６は、予め定められた「透過率」と「印可する電圧の値」との対応関係が登録されたテーブル（図示しない）から、「得ようとする透過率」に対応する「印可する電圧の値」を取得して、フロントガラス１４、フロントサイドガラス１６、リアサイドガラス１８、及びリアガラス２０の各々の液晶フイルムに、この取得した「印可する電圧の値」の電圧を印可する。これにより、フロントガラス１４、フロントサイドガラス１６、リアサイドガラス１８、及びリアガラス２０の各々の透過率が「得ようとする透過率」となる。
【００２２】
照度計２２、駆動装置２６、及び操作部２８は、制御装置２４に接続されている。制御装置２４には、操作部２８が受け付けたドライバ３２の指示、及び照度計２２の検出信号が入力される。また、制御装置２４は、駆動装置２６に「得ようとする透過率」を表す制御信号を出力することにより、駆動装置２６を制御すると共に、フロントガラス１４、フロントサイドガラス１６、リアサイドガラス１８、及びリアガラス２０の透過率を制御する。
【００２３】
制御装置２４は、ＲＯＭ（Read Only Memory）２４ａ、ＨＤＤ（Hard Disk Drive）２４ｂ、ＣＰＵ（Central Processing Unit）２４ｃ、ＲＡＭ（Random Access Memory）２４ｄ、及びＩ／Ｏ（入出力）ポート２４ｅを備えている。これらＲＯＭ２４ａ、ＨＤＤ２４ｂ、ＣＰＵ２４ｃ、ＲＡＭ２４ｄ、及びＩ／Ｏポート２４ｅは互いにバス２４ｆで接続されている。
【００２４】
記憶媒体としてのＲＯＭ２４ａには、ＯＳ等の基本プログラムが記憶されている。
【００２５】
記憶媒体としてのＨＤＤ２４ｂには、詳細を以下で説明する第１の室内照度制御処理の処理ルーチンを実行するためのプログラムが記憶されている。
【００２６】
また、ＨＤＤ２４ｂには、図３に示されるような、睡眠及び睡眠からの起床を適切に行うための照度の変化のパターンである照度変化パターン３４が記憶されている。この照度変化パターン３４は、対応する時間経過（図３の横軸）における睡眠及び睡眠からの起床に適した照度である目標照度（図３の縦軸）を表している。すなわち、照度変化パターン３４は、睡眠及び睡眠からの起床に適した目標照度を時間経過に対応させたものである。図３に示す例では、例えば、室内３０に存在するドライバ３２の睡眠を導くために、時間経過が０〜５分の間では、室内３０の目標照度を１００（ｌｘ）として、そして、時間経過が５〜１０分の間では、徐々に照度が小さくなるように、１分間に目標照度を２０（ｌｘ）ずつ小さくしている。なお、室外３１の照度は日中では１０００００（ｌｘ）以上になる場合がある。そして、ドライバ３２が深い眠りにつけるように、時間経過が１０〜２２分の間では、室内３０の目標照度を２０（ｌｘ）としている。そして、ドライバ３２が快適な起床を得られるようにするために、時間経過が２０〜３５分の間では、１分間に目標照度を４０（ｌｘ）ずつ大きくしている。
【００２７】
なお、照度変化パターン３４は、人間にとって睡眠及び睡眠からの起床に適しているような照度のパターンを、実験的に予め取得しておくことによって得ることが可能である。
【００２８】
また、予めＨＤＤ２４ｂに記憶されている照度変化パターンの一例として図３に示すような照度変化パターン３４について説明したが、本発明は、このような照度変化パターンに限られず、睡眠及び睡眠からの起床に適しているような照度のパターンであれば、どのようなパターンを用いてもよい。
【００２９】
ＣＰＵ２４ｃは、プログラムをＲＯＭ２４ａ及びＨＤＤ２４ｂから読み出して実行する。
【００３０】
ＲＡＭ２４ｄには、各種データが一時的に記憶される。
【００３１】
Ｉ／Ｏポート２４ｅには、上述した照度計２２、駆動装置２６、及び操作部２８が接続されている。
【００３２】
制御装置２４を以下で詳細を説明する第１の室内照度制御処理に従って機能ブロックで表すと、図４に示すように、記憶手段３６、検出手段３８、及び制御手段４０で表すことができる。なお、記憶手段３６は、ＨＤＤ２４ｂ（及びＲＡＭ２４ｄ）に対応する。
【００３３】
次に、制御装置２４のＣＰＵ２４ｃが実行する第１の室内照度制御処理の処理ルーチンについて図５を用いて説明する。なお、本実施の形態において、第１の室内照度制御処理は、ドライバ３２が仮眠を行うために操作部２８の操作パネルを操作することにより、第１の室内照度制御処理を実行する指示を操作部２８が受け付けて、操作部２８から当該指示をＣＰＵ２４ｃが受信した場合に実行される。
【００３４】
まず、ステップ１００で、時間を計測するためのタイマーによる時間の計測をスタート（開始）させる。これにより、時間の計測が開始される。なお、このようなタイマーは周知の技術であり、本実施の形態では、例えば、１秒単位で時間を計測するためのタイマーを用いる。
【００３５】
次のステップ１０２では、ＨＤＤ２４ｂから照度変化パターン３４を読み込み、照度変化パターン３４をＲＡＭ２４ｄに記憶する。
【００３６】
次のステップ１０４では、第１の室内照度制御処理を実行させてから所定時間が経過したか否かを判定する。この所定時間として、照度変化パターン３４の終了の時間（例えば、図３の例では３５分）が用いられる。これにより、ステップ１０４では、第１の室内照度制御処理を終了するか否かを判定することが可能となる。
【００３７】
ステップ１０４で、所定時間（すなわち終了の時間）が経過していないと判定された場合には、次のステップ１０６へ進む。
【００３８】
ステップ１０６では、上記ステップ１００で計測が開始されたタイマーによる現在の経過時間（以下、現在時間と称する）を取得して、取得した経過時間に対応する目標照度ＬＯを、ＲＡＭ２４ｄに記憶された照度変化パターン３４から取得する。例えば、図３の例では、現在の経過時間が５分であれば、ステップ１０６では目標照度ＬＯとして１００（ｌｘ）の値が取得され、現在の経過時間が１０分であれば、ステップ１０６では目標照度ＬＯとして２０（ｌｘ）の値が取得される。すなわち、ステップ１０６では、現在時間の目標照度ＬＯが取得される。
【００３９】
次のステップ１０８では、照度計２２から出力された室内３０の照度を表す検出信号を取り込む。なお、ステップ１０８で取り込んだ検出信号から、室内３０の照度を算出することができる。
【００４０】
次のステップ１１０では、上記ステップ１０８で取り込んだ検出信号から、室内３０の照度（室内照度）Ｌｃを算出する。
【００４１】
すなわち、ステップ１０８〜ステップ１１０での処理によって、室内３０の照度が検出される。なお、ステップ１０８〜ステップ１１０は本発明の検出手段に対応する。
【００４２】
次のステップ１１２では、上記ステップ１０６で取得された直近の目標照度ＬＯ（最も新しく取得された目標照度ＬＯ）と、上記ステップ１１０で算出された直近の室内照度Ｌｃ（最も新しく算出された室内照度Ｌｃ）との差の絶対値｜Ｌｃ−ＬＯ｜が、所定値δより小さいか否かを判定する。
【００４３】
なお、例えば、実験的に、室内３０の照度を次々に変化させて、室内３０にいる人間が、室内３０の照度が変化していないと感じる際の変化量の最大値を、所定値δとして予め設定しておけばよい。
【００４４】
ステップ１１２で、上記ステップ１０６で取得された直近の目標照度ＬＯと、上記ステップ１１０で算出された直近の室内照度Ｌｃとの差の絶対値｜Ｌｃ−ＬＯ｜が、所定値δより小さいと判定された場合には、現在の室内３０の照度は目標照度ＬＯであるか、または、目標照度ＬＯに非常に近いと判断して、上記ステップ１０４へ戻り、ステップ１０４以降の処理を再び実行する。
【００４５】
一方、ステップ１１２で、上記ステップ１０６で取得された直近の目標照度ＬＯと、上記ステップ１１０で算出された直近の室内照度Ｌｃとの差の絶対値｜Ｌｃ−ＬＯ｜が、所定値δ以上であると判定された場合には、現在の室内３０の照度は目標照度ＬＯと大きく異なると判断して、次のステップ１１４へ進む。
【００４６】
ステップ１１４では、フロントガラス１４、フロントサイドガラス１６、リアサイドガラス１８、及びリアガラス２０の現在の透過率τｃを取得する。なお、ステップ１１４では、下記のステップ１１６を未だに実行していない場合には、フロントガラス１４、フロントサイドガラス１６、リアサイドガラス１８、及びリアガラス２０の透過率の初期値である（０．８）の値（８０％を表す値）を現在の透過率τｃとして取得する。また、ステップ１１４では、下記のステップ１１６を一度でも実行した場合には、当該ステップ１１６で演算された直近の新たな透過率τｃ（最も新しくステップ１１６で演算された新たな透過率τｃ）を現在の透過率τｃとして取得する。
【００４７】
次のステップ１１６では、下記の式（１）に示すように、上記ステップ１１４で取得された現在の透過率τｃと、上記ステップ１０６で取得された直近の目標照度ＬＯを上記ステップ１１０で算出された直近の室内照度Ｌｃで除算した値（ＬＯ／Ｌｃ）とを乗算した値（τｃ・（ＬＯ／Ｌｃ））を新たな透過率τｃとして演算する。
【００４８】
【数１】
2009254509.tif 000003
【００４９】
次のステップ１１８では、「得ようとする透過率」として、上記ステップ１１６で演算された直近の新たな透過率τｃ（最も新しくステップ１１６で演算された新たな透過率τｃ）を表す制御信号を駆動装置２６に出力する。これにより、駆動装置２６によって、上記ステップ１１６で演算された直近の新たな透過率τｃに対応する「印可する電圧の値」が上記のテーブル（図示しない）から取得されて、フロントガラス１４、フロントサイドガラス１６、リアサイドガラス１８、及びリアガラス２０の各々の液晶フイルムに、この取得した「印可する電圧の値」の電圧が印可されて、フロントガラス１４、フロントサイドガラス１６、リアサイドガラス１８、及びリアガラス２０の各々の透過率が新たな透過率τｃとなるように制御される。そして、上記ステップ１０８へ戻り、以降の処理を再び実行する。
【００５０】
以上、説明したように、上記ステップ１０４〜１１８の処理によって、室内３０の照度Ｌｃを検出し、検出された現在の室内３０の照度Ｌｃ、ＨＤＤ２４ｂ（及びＲＡＭ２４ｄ）に記憶された現在時間の目標照度ＬＯ、並びにフロントガラス１４、フロントサイドガラス１６、リアサイドガラス１８、及びリアガラス２０の現在の透過率τｃに基づいて、室内３０の照度Ｌｃが現在時間の目標照度ＬＯとなるように、フロントガラス１４、フロントサイドガラス１６、リアサイドガラス１８、及びリアガラス２０の光の透過率が制御される。これにより、室外３１の照度が大きくても、従来の技術と比較して、室内３０の照度の制御をより安定して行うことができる。
【００５１】
一方、ステップ１０４で、所定時間（すなわち終了の時間）が経過したと判定された場合には、次のステップ１２０へ進む。ステップ１２０では、上記ステップ１０２で時間の計測をスタートさせたタイマーによる時間の計測を終了する。次のステップ１２２では、「得ようとする透過率」として、所定値、例えば（０．８）の値（８０％を表す値）を表す制御信号を駆動装置２６に出力する。これにより、駆動装置２６は、透過率（０．８）に対応する「印可する電圧の値」を上記のテーブル（図示しない）から取得して、フロントガラス１４、フロントサイドガラス１６、リアサイドガラス１８、及びリアガラス２０の各々の液晶フイルムに、この取得した「印可する電圧の値」の電圧を印可する。この駆動装置２６の動作により、フロントガラス１４、フロントサイドガラス１６、リアサイドガラス１８、及びリアガラス２０の各々の透過率が（０．８）となるように制御される。そして、室内照度制御処理を終了する。
【００５２】
なお、ステップ１００〜１０６、ステップ１１２〜１２２は、制御手段４０で実行され、ステップ１０８〜１１０は検出手段３８で実行される。
【００５３】
以上説明したように、本実施の形態に係る室内照度制御装置１０は、室外３１と室内３０との間に設けられ、かつ室外から室内３０に入射される光の透過率が制御可能な調光手段としての調光ガラス（フロントガラス１４、フロントサイドガラス１６、リアサイドガラス１８、及びリアガラス２０）と、睡眠及び睡眠からの起床に適した目標照度ＬＯを時間経過に応じて記憶した記憶手段としてのＨＤＤ２４ｂとを備え、室内３０の照度Ｌｃを検出し、検出された現在の室内３０の照度Ｌｃ、ＨＤＤ２４ｂ（及びＲＡＭ２４ｄ）に記憶された現在時間の目標照度ＬＯ、並びにフロントガラス１４、フロントサイドガラス１６、リアサイドガラス１８、及びリアガラス２０の現在の透過率τｃに基づいて、室内３０の照度Ｌｃが現在時間の目標照度ＬＯとなるように、フロントガラス１４、フロントサイドガラス１６、リアサイドガラス１８、及びリアガラス２０の光の透過率を制御する。これにより、室外３１の照度が大きくても、従来の技術と比較して、室内３０の照度の制御をより安定して行うことができる。
【００５４】
［第２の実施の形態］
次に、本発明の第２の実施の形態について説明する。なお、第１の実施の形態と同様の構成及び同様の処理については、同一の符号を付して説明を省略する。本実施の形態において、第１の実施の形態と異なる点について以下説明する。第１の実施の形態では、ＨＤＤ２４ｂに記憶された照度変化パターン３４を室内照度制御処理のステップ１０２で読み込んで、ＲＡＭ２４ｄに記憶して、ステップ１０４以降の処理においてＲＡＭ２４ｄに記憶された照度変化パターン３４を適宜用いて処理を行う例について説明したが、本実施の形態では、ＨＤＤ２４ｂに、複数の照度変化パターンが記憶されており、車両１２に乗車している人物（例えば、ドライバ３２）の疲労度を推定し、推定された疲労度に基づいて、この人物にとって睡眠及び睡眠からの起床に最も適した照度変化パターンを複数の照度変化パターンの中から選択し、選択した照度変化パターンをＲＡＭ２４ｄに記憶して、ステップ１０４以降の処理においてＲＡＭ２４ｄに記憶された照度変化パターン３４を適宜用いて処理を行う点が第１の実施の形態と異なる。
【００５５】
図６に示すように、ドライバ３２の運転走行距離及び運転走行時間に応じて複数Ｎ段階の疲労度を推定するための疲労度推定テーブル５２がＨＤＤ２４ｂに記憶されている。図６の例では、Ｎ＝３であり、同図には、３段階の疲労度を推定するための疲労度推定テーブル５２が示されている。同図の例では、ドライバ３２の運転走行距離ｘが０ｋｍ以上１００ｋｍ未満または運転走行時間Ｔが０分以上６０分未満の場合には、対応するレコード５２ａの疲労度が登録されるフィールド５２ｂに、ドライバ３２の疲労度を表す”Ａ”、”Ｂ”、”Ｃ”のうちの”Ａ”が登録されている。なお、本実施の形態では、”Ａ”は最も疲労が小さいことを示し、”Ｂ”、”Ｃ”と進むにつれて、疲労が大きくなっていくことを示すものとする。また、ドライバ３２の運転走行距離ｘが１００ｋｍ以上２００ｋｍ未満または運転走行時間Ｔが６０分以上１２０分未満の場合には、対応するレコード５２ａのフィールド５２ｂに”Ｂ”が登録されている。また、ドライバ３２の運転走行距離ｘが２００ｋｍ以上または運転走行時間Ｔが１２０分以上の場合には、対応するレコード５２ａのフィールド５２ｂに”Ｃ”が登録されている。
【００５６】
また、図７に示すように、本実施の形態では、ＨＤＤ２４ｂに複数のＮ個、例えば３個の異なる照度変化パターン３４ａ、３４ｂ、３４ｃが記憶されている。本実施の形態において、図７（Ａ）に示すような、この照度変化パターン３４ａは、ドライバ３２の疲労度が上述した”Ａ”の場合に、ドライバ３２が睡眠及び睡眠から起床するための照度変化のパターンとして最も適切なパターンとなるように、予め実験的または統計的に生成されたものである。同様に、図７（Ｂ）に示すような、照度変化パターン３４ｂは、ドライバ３２の疲労度が上述した”Ｂ”の場合に、ドライバ３２が睡眠及び睡眠から起床するための照度変化のパターンとして最も適切なパターンとなるように、予め実験的または統計的に生成されたものであり、図７（Ｃ）に示すような、照度変化パターン３４ｃは、ドライバ３２の疲労度が上述した”Ｃ”の場合に、ドライバ３２が睡眠及び睡眠から起床するための照度変化のパターンとして最も適切なパターンとなるように、予め実験的または統計的に生成されたものである。すなわち、ＨＤＤ２４ｂには、各疲労度に対応する照度変化パターン３４が記憶されている。
【００５７】
また、ＨＤＤ２４ｂには、詳細を以下で説明する第２の室内照度制御処理の処理ルーチンを実行するためのプログラムが記憶されている。
【００５８】
本実施の形態における制御装置２４を以下で詳細を説明する第２の室内照度制御処理に従って機能ブロックで表すと、図８に示すように、記憶手段３６、検出手段３８、推定手段４２、選択手段４４、及び制御手段４０で表すことができる。
【００５９】
次に、制御装置２４のＣＰＵ２４ｃが実行する第２の室内照度制御処理の処理ルーチンについて図９を用いて説明する。なお、本実施の形態において、第２の室内照度制御処理は、ドライバ３２が仮眠を行うために操作部２８の操作パネルを操作することにより、第２の室内照度制御処理を実行する指示を操作部２８が受け付けて、操作部２８から当該指示をＣＰＵ２４ｃが受信した場合に実行される。
【００６０】
まず、ステップ１００で、上記と同様に、時間を計測するためのタイマーによる時間の計測をスタート（開始）させる。そして、次のステップ２００で、ドライバ３２の疲労度を推定する。ここで、ドライバ３２の疲労度の推定方法については様々な方法が考えられるが、本実施の形態では、ドライバ３２の運転走行距離または運転走行時間を求め、疲労度推定テーブル５２において、この求められた運転走行距離または運転走行時間が登録されているレコード５２ａのフィールド５２ｂに登録されている疲労度（本実施の形態では、”Ａ”、”Ｂ”、”Ｃ”の三段階の疲労度）を取得して、取得した疲労度をドライバ３２の疲労度として推定する。
【００６１】
次のステップ２０２では、上記ステップ２００で推定したドライバ３２の疲労度に対応する適切な照度変化パターン３４を選択する。本実施の形態では、例えば、上記ステップ２００で推定したドライバ３２の疲労度が”Ａ”である場合には、ステップ２０２で、照度変化パターン３４ａが選択される。同様に、上記ステップ２００で推定したドライバ３２の疲労度が”Ｂ”である場合には、ステップ２０２で、照度変化パターン３４ｂが選択され、上記ステップ２００で推定したドライバ３２の疲労度が”Ｃ”である場合には、ステップ２０２で、照度変化パターン３４ｃが選択される。
【００６２】
次のステップ２０４では、上記ステップ２０２で選択された照度変化パターン３４をＲＡＭ２４ｄに記憶する。そして、ステップ１０４へ進む。なお、以降の処理では、適宜、ＲＡＭ２４ｄに記憶された照度変化パターン３４が用いられる。
【００６３】
ここで、ステップ１００、１０４、１０６、ステップ１１２〜１２２は、制御手段４０で実行され、ステップ１０８〜１１０は検出手段３８で実行され、ステップ２００は推定手段４２で実行され、ステップ２０２〜２０４は選択手段４４で実行される。
【００６４】
以上説明したように、第２の実施の形態に係る室内照度制御装置１０は、室外３１と室内３０との間に設けられ、かつ室外３１から室内３０に入射される光の透過率が制御可能な調光手段としての調光ガラス（フロントガラス１４、フロントサイドガラス１６、リアサイドガラス１８、及びリアガラス２０）と、睡眠及び睡眠からの起床に適した目標照度ＬＯを時間経過に対応させた照度変化パターン３４を複数記憶した記憶手段としてのＨＤＤ２４ｂとを備え、室内３０に存在する人物（本実施の形態ではドライバ３２）の疲労度を推定し、推定された疲労度に応じて、ＨＤＤ２４ｂに記憶された複数の照度変化パターン３４の中から、ドライバ３２が睡眠及び睡眠からの起床をするために適した照度変化パターン３４を選択し、室内３０の照度Ｌｃを検出し、検出された現在の室内３０の照度Ｌｃ、選択された照度変化パターン３４の現在時間の目標照度ＬＯ、並びにフロントガラス１４、フロントサイドガラス１６、リアサイドガラス１８、及びリアガラス２０の現在の透過率τｃに基づいて、室内３０の照度Ｌｃが、現在時間の目標照度ＬＯとなるように、フロントガラス１４、フロントサイドガラス１６、リアサイドガラス１８、及びリアガラス２０の光の透過率を制御する。これにより、室外３１の照度が大きくても、従来の技術と比較して、室内３０の照度の制御をより安定して行うことができる。
【００６５】
更に、第２の実施の形態に係る室内照度制御装置１０によれば、室内３０に存在する人物（本実施の形態ではドライバ３２）の疲労度に応じて、この人物が睡眠及び睡眠からの起床をするために適した照度変化パターン３４が選択されるので、室内３０に存在する人物にとって、より快適な睡眠及び起床をすることが可能となる。
【図面の簡単な説明】
【００６６】
【図１】第１の実施の形態に係る室内照度制御装置を示す図である。
【図２】第１の実施の形態に係る室内照度制御装置を示す図である。
【図３】第１の実施の形態に係る照度変化パターンを説明するための図である。
【図４】第１の実施の形態に係る制御装置を機能的に表した図である。
【図５】第１の実施の形態に係る制御装置が実行する第１の室内照度制御処理の処理ルーチンのフローチャートを示す図である。
【図６】第２の実施の形態に係る疲労度推定テーブルの模式図である。
【図７】第２の実施の形態に係る照度変化パターンを説明するための図である。
【図８】第２の実施の形態に係る制御装置を機能的に表した図である。
【図９】第２の実施の形態に係る制御装置が実行する第２の室内照度制御処理の処理ルーチンのフローチャートを示す図である。
【符号の説明】
【００６７】
１０      室内照度制御装置
１２      車両
１４      フロントガラス
１６      フロントサイドガラス
１８      リアサイドガラス
２０      リアガラス
２２      照度計
２４      制御装置
２６      駆動装置
２８      操作部
３０      室内
３１      室外
３６      記憶手段
３８      検出手段
４０      制御手段
【図１】
2009254509.tif 000004
【図２】
2009254509.tif 000005
【図３】
2009254509.tif 000006
【図４】
2009254509.tif 000007
【図５】
2009254509.tif 000008
【図６】
2009254509.tif 000009
【図７】
2009254509.tif 000010
【図８】
2009254509.tif 000011
【図９】
2009254509.tif 000012